(57)【要約】【課題】単身者の夜間の睡眠時間を正確に取得する。【解決手段】本発明の見守り装置は、被見守り者の住居の居間に備え付けられたセンサから、被見守り者が居間にいることを示す情報又は被見守り者が居間にいないことを示す情報を受信するセンサ情報取得部と、被見守り者が居間にいないことを示す情報のうちセンサが夜間に取得したものを、被見守り者が睡眠していることを示す情報に見直し、被見守り者が睡眠していることを示す情報のうち所定の条件を満たすものを、被見守り者が居間にいないことを示す情報に再度見直すセンサ情報処理部と、を備えることを特徴とする。【選択図】図５
2020144671.tif 000002
【特許請求の範囲】
【請求項１】
被見守り者の住居の居間に備え付けられたセンサから、前記被見守り者が前記居間にいることを示す情報又は前記被見守り者が前記居間にいないことを示す情報を受信するセンサ情報取得部と、
前記被見守り者が前記居間にいないことを示す情報のうち前記センサが夜間に取得したものを、前記被見守り者が睡眠していることを示す情報に見直し、
前記被見守り者が睡眠していることを示す情報のうち所定の条件を満たすものを、前記被見守り者が前記居間にいないことを示す情報に再度見直すセンサ情報処理部と、
を備えることを特徴とする見守り装置。
【請求項２】
前記センサ情報取得部は、
前記センサから前記被見守り者の活動量を取得し、又は、前記センサから取得した任意の情報に基づき前記被見守り者の活動量を算出し、
前記センサ情報処理部は、
前記活動量に基づき前記被見守り者が前記居間にいることを示す情報を、複数の区分に分類すること、
を特徴とする請求項１に記載の見守り装置。
【請求項３】
前記センサ情報処理部は、
前記被見守り者が前記居間にいることを示す情報が、前記被見守り者が睡眠していることを示す情報の後に時系列で連続しており、かつ、当該被見守り者が前記居間にいることを示す情報の時間幅が所定の閾値以上である場合、
当該被見守り者が睡眠していることを示す情報を、前記被見守り者が前記居間にいないことを示す情報に再度見直すこと、
を特徴とする請求項２に記載の見守り装置。
【請求項４】
前記センサ情報処理部は、
前記被見守り者が睡眠していることを示す情報が、前記被見守り者が前記居間にいることを示す情報を挟むことなく所定の時刻まで時系列で連続している場合、
当該被見守り者が睡眠していることを示す情報を、前記被見守り者が前記居間にいないことを示す情報に再度見直すこと、
を特徴とする請求項３に記載の見守り装置。
【請求項５】
前記センサ情報処理部は、
前記被見守り者の睡眠時間又は活動量を日次、週次又は月次で集計し、見守り者が操作する端末装置に集計結果を表示させること、
を特徴とする請求項４に記載の見守り装置。
【請求項６】
前記センサ情報処理部は、
１日のうち、前記被見守り者が前記居間にいた期間を前記区分ごとに前記端末装置に表示させるとともに、１日のうち、前記被見守り者が前記居間にいなかった期間、及び、睡眠していた期間を前記端末装置に表示させること、
を特徴とする請求項５に記載の見守り装置。
【請求項７】
前記センサ情報処理部は、
前記被見守り者が睡眠していることを示す情報のうち所定の条件を満たすものを、前記被見守り者が前記居間にいないことを示す情報に再度見直したことを前記端末装置に表示させること、
を特徴とする請求項６に記載の見守り装置。
【請求項８】
見守り装置のセンサ情報取得部は、
被見守り者の住居の居間に備え付けられたセンサから、前記被見守り者が前記居間にいることを示す情報又は前記被見守り者が前記居間にいないことを示す情報を受信し、
前記見守り装置のセンサ情報処理部は、
前記被見守り者が前記居間にいないことを示す情報のうち前記センサが夜間に取得したものを、前記被見守り者が睡眠していることを示す情報に見直し、
前記被見守り者が睡眠していることを示す情報のうち所定の条件を満たすものを、前記被見守り者が前記居間にいないことを示す情報に再度見直すこと、
を特徴とする見守り装置の見守り方法。
【請求項９】
見守り装置のセンサ情報取得部に対し、
被見守り者の住居の居間に備え付けられたセンサから、前記被見守り者が前記居間にいることを示す情報又は前記被見守り者が前記居間にいないことを示す情報を受信する処理を実行させ、
前記見守り装置のセンサ情報処理部に対し、
前記被見守り者が前記居間にいないことを示す情報のうち前記センサが夜間に取得したものを、前記被見守り者が睡眠していることを示す情報に見直し、
前記被見守り者が睡眠していることを示す情報のうち所定の条件を満たすものを、前記被見守り者が前記居間にいないことを示す情報に再度見直す処理を実行させる、
見守り装置を機能させるための見守りプログラム。
【発明の詳細な説明】
【技術分野】
【０００１】
本発明は、見守り装置、見守り方法及び見守りプログラムに関する。
【背景技術】
【０００２】
近時先進国では、少子高齢化の進行とともに、単身高齢者が増加している。単身高齢者に子がいる場合、単身高齢者は、その子から離れた場所に住んでいることが多い。したがって、子にとって親の様子がわからないことは、大きな心配事である。そこで、遠隔地に居住する単身高齢者の様子を知るシステムが普及している。
【０００３】
特許文献１の生活見守り装置は、居間に設置された人感センサが被見守り者を検知するのを受け付ける。当該装置は、所定の期間内に被見守り者を検知した累積数に対して所定の閾値を適用することによって、見守り対象者の睡眠の開始、終了等を認識する。つまり当該装置は、センサ反応の累計数が疎になった時点（センサ反応が１時間ない）で睡眠が始まり、センサ反応の累計数が密になった時点で睡眠が終了したと判断する。
【先行技術文献】
【特許文献】
【０００４】
【特許文献１】特許第６１４５９０７号明細書
【発明の概要】
【発明が解決しようとする課題】
【０００５】
特許文献１の生活見守り装置は、閾値の設定次第では、被見守り者の睡眠の開始、終了等を認識する精度が落ちる。さらに、当該装置は、被見守り者が居間にいない場合、被見守り者は睡眠をしていると単純に判断する。つまり、当該装置は、居間にいない時間に被見守り者が実際に睡眠していたか否かの実質的判断を、見守り者に委ねている。
【０００６】
見守り者は、例えば、被見守り者が夜間居間にいない場合、それが睡眠又は外出のいずれを意味するのかを知りたい。また、見守り者は、被見守り者が夜間一次的に目覚めトイレ等に行くために居間に立ち寄った場合、その前に睡眠していたと判断できるか否かを知りたい。このような見守り者のニーズを完全に満たすことはもとより困難である。しかしながら、このようなニーズに少しでも応える技術が求められている。
そこで、本発明は、単身者の夜間の睡眠時間を正確に取得することを目的とする。
【課題を解決するための手段】
【０００７】
本発明の見守り装置は、被見守り者の住居の居間に備え付けられたセンサから、被見守り者が居間にいることを示す情報又は被見守り者が居間にいないことを示す情報を受信するセンサ情報取得部と、被見守り者が居間にいないことを示す情報のうちセンサが夜間に取得したものを、被見守り者が睡眠していることを示す情報に見直し、被見守り者が睡眠していることを示す情報のうち所定の条件を満たすものを、被見守り者が居間にいないことを示す情報に再度見直すセンサ情報処理部と、を備えることを特徴とする。
その他の手段については、発明を実施するための形態のなかで説明する。
【発明の効果】
【０００８】
本発明によれば、単身者の夜間の睡眠時間を正確に取得することができる。
【図面の簡単な説明】
【０００９】
【図１】本実施形態の環境及び見守り装置の構成を説明する図である。
【図２】（ａ）及び（ｂ）は、センサが取得する情報を説明する図である。
【図３】センサからの情報の一例を示す図である。
【図４】状態情報の一例を示す図である。
【図５】第２の見直しをさらに説明する図である。
【図６】活動レベル情報の一例を示す図である。
【図７】現在状態表示処理手順のフローチャートである。
【図８】生活リズム・睡眠時間表示処理手順のフローチャートである。
【図９】“現在の様子”画面の一例である。
【図１０】活動量画面の一例である。
【図１１】生活リズム画面の一例である。
【図１２】睡眠時間画面の一例である。
【発明を実施するための形態】
【００１０】
以降、本発明を実施するための形態（“本実施形態”という）を、図等を参照しながら詳細に説明する。本実施形態は、単身高齢者を子やその親類が見守る例である。しかしながら、本発明は、居間と寝室との間を行き来する１人の人間を他の人間が見守る例に広く適用され得る。
【００１１】
（環境及び見守り装置の構成）
図１は、本実施形態の環境及び見守り装置の構成を説明する図である。被見守り者５が住居６に居住している。住居６には、単身高齢者である被見守り者５以外の居住者はいない。住居６は、複数の居室を有し、そのうちに居間６ａ及び寝室６ｂが含まれる。居間６ａと寝室６ｂとは、廊下、壁等を間に挟んで独立した部屋になっている。被見守り者５は、寝室６ｂ以外の居室のうち居間６ａにいる時間が最も長い。被見守り者５は、在宅の場合、日中の殆どを居間６ａで過ごし、夜間は寝室６ｂで睡眠する。居間６ａの壁、天井等にセンサ（詳細後記）が設置されている。
【００１２】
見守り装置１は、一般的なサーバであり、見守りサービスのセンタを構成する。このセンタは、センサ２が配置された複数の被見守り者を見守る。このサーバには、中央制御装置１１、マウス、キーボード等の入力装置１２、ディスプレイ等の出力装置１３、主記憶装置１４、補助記憶装置１５及び通信装置１６を備える。これらは、バスで相互に接続されている。補助記憶装置１５は、状態情報３２及び活動レベル情報３３（いずれも詳細後記）を格納している。主記憶装置１４におけるセンサ情報取得部２１及びセンサ情報処理部２２は、プログラムである。中央制御装置１１は、これらのプログラムを補助記憶装置１５から読み出し主記憶装置１４にロードすることによって、それぞれのプログラムの機能（詳細後記）を実現する。補助記憶装置１５が見守り装置１から独立した構成であってもよい。
【００１３】
見守り装置１は、ネットワーク４を介して、センサ２及び端末装置３に接続されている。本実施形態の端末装置３は、見守り者（図示せず）によって操作される携帯式コンピュータである。しかしながら、端末装置３は、携帯式以外のコンピュータであってもよい。
【００１４】
（センサ）
図２（ａ）及び（ｂ）は、センサ２が取得する情報を説明する図である。センサ２は、例えば３次元カメラである。３次元カメラは、被見守り者５が居間６ａにいるか否か、及び、いる場合におけるその重心位置（頭部の位置でもよい）の３次元座標値を取得する。そして、センサ２は、３次元座標値に基づいて、活動量を求める。図２（ａ）では、被見守り者５は居間６ａにいる。このとき、センサ２は、被見守り者５が居間６ａにいることを示す情報“在室”、活動量♭、及び、これらが生成された時刻の年月日時分秒（符号７ａ）を、ネットワーク４を介して見守り装置１にリアルタイムで送信する。
【００１５】
図２（ｂ）では、被見守り者５は居間６ａにいない。このとき、センサ２は、被見守り者５が居間６ａにいないことを示す情報“不在”、及び、それが生成された時刻の年月日時分秒（符号７ｂ）を、ネットワーク４を介して見守り装置１にリアルタイムで送信する。
【００１６】
詳細は後記するが、３次元座標値は、センサ２が被見守り者５の活動量を算出するための情報である。センサ２は、被見守り者５が発する熱量、身体の微小な動き等を非接触で測定してもよい。結局、センサ２が取得した情報に基づいて見守り装置１が“在室”、“不在”、活動量及びそれらが取得された時刻を知ることができれば、センサ２は、どのようなものであってもよい。
【００１７】
一般的に、被見守り者５は、自身の映像が親類を含む他者に流出することを嫌う。そこで、センサ２は、仮に被見守り者５の映像を取得できる場合であっても、その映像を見守り装置１に送信しない。送信されるのは、あくまでも、映像以外のデータ（符号７ａ及び７ｂ）である。
【００１８】
センサ情報取得部２１がセンサ２からの情報を取得すると、センサ情報処理部２２がその時点で情報を処理して必要な情報を記憶するとともに、端末装置３にその情報を送信する。センサ情報処理部２２は、センサ２から“在室”又は“不在”情報を受け取ると、“在室”から“不在”になった時刻、“不在”から“在室”になった時刻を状態情報３２に記憶する。つまり、センサ情報処理部２２は、“在室”及び“不在”が変化した時点の時刻を記憶する。また、センサ２からの情報が“在室”である場合、センサ情報処理部２２は、その時刻および活動量を記憶する。そして、センサ情報処理部２２は、後記する見守り者の端末装置３に、“在室”であれば居間にいる旨および活動量を、“不在”であれば居間にいない旨を時刻とともに送信する。なお、センサからの“在室”又は“不在”情報は、以降説明するセンサ情報処理部２２が処理した以降は、使用されない。
【００１９】
（センサからの情報）
次に、センサ２からの情報に基づいて如何なることがわかるかを説明する。図３は、センサ２からの情報３１０の一例を示す図である。センサからは、時刻に関連付けて、被見守り者のＩＤ、被見守り者の状態、及び、被見守り者の活動量が送信される。
【００２０】
時刻欄１０１の時刻は、図２（ａ）の符号７ａの情報又は図２（ｂ）の符号７ｂの情報をセンサ２が取得した時点の年月日時分秒である。本実施形態では、センサ２は、５分ごとにこれらの情報を取得する。
被見守り者ＩＤ欄１０２の被見守り者ＩＤは、被見守り者を一意に特定する識別子である。図３の例では、説明の単純化のため、“Ｐ０１”のみが記載されている。しかしながら、見守り装置１は、複数の被見守り者についての処理を同時に実行できる。
【００２１】
状態欄１０３の状態は、被見守り者５が居間６ａにいることを示す“在室”、又は、被見守り者５が居間６ａにいないことを示す“不在”のいずれかである。
【００２２】
活動量欄１０５の活動量は、センサ２が被見守り者の活動状態を計測して数値化した値である。状態が“不在”である活動量欄１０５には、情報がないことを示す“−”が記載されている。状態が“在室”である活動量欄１０５のうち、“♭”は、異なる値を省略的に示している。“♭♭”は、その値が通常想定されない異常値であることを示す（詳細後記）。
【００２３】
図３を見ると、以下のことがわかる。
・２０１８年１１月２０日００時００分００秒から００時０５分００秒まで、被見守り者Ｐ０１は、居間６ａにいた。
・００時１０分００秒から０１時５５分００秒まで、被見守り者Ｐ０１は、居間６ａにいなかった。この間、被見守り者Ｐ０１は、寝室６ｂにいた可能性が高い。
・０２時００分００秒から０２時１０分００秒まで、被見守り者Ｐ０１は、居間６ａにいた。この間、被見守り者Ｐ０１は、一旦目覚めてトイレに行くため居間６ａを通過した、又は、寝付くことができず居間にいた可能性が高い。
【００２４】
・０２時１５分００秒から０６時５５分００秒まで、被見守り者Ｐ０１は、居間６ａにいなかった。この間、被見守り者Ｐ０１は、寝室６ｂにいた可能性が高い。
・０７時００分００秒から２０時５５分００秒まで、被見守り者Ｐ０１は、居間６ａにいた。
・２０１８年１１月２０日２１時００分００秒から２０１８年１１月２１日１３時００分００秒まで、被見守り者Ｐ０１は、居間６ａにいなかった。この間、被見守り者Ｐ０１は、一見寝室６ｂにいたように見えるが、例えば親類宅へ外出していた可能性が高い。水平の二重線は、日付が改まったことを示す。
・１３時０５分００秒から１３時１０分００秒まで、被見守り者Ｐ０１は、居間６ａにいた。
【００２５】
・被見守り者Ｐ０１は、居間６ａにいたとき、何らかの活動をしていた。この活動は、昼間は、居間６ａの内部を清掃する、ソファから立ち上がって窓際に進み庭を眺める、窓際からテーブルに進み食事を取る等の動作であり、夜間は、ソファで読書をする、トイレに行くために居間６ａを通過する等の動作である可能性が高い。
・２０１８年１１月２０日２０時５０分００秒における活動量は、異常値である。このとき、廊下に寝ていたペットが居間６ａに入り込み走り回った、窓から隣人の洗濯物が入り込んだ等の、被見守り者５の活動とは全く無関係の事態が発生した可能性が高い。
【００２６】
これらを知った見守り者は、例えば以下の懸念１〜３を抱くに至る。
〈懸念１〉被見守り者５は、一旦寝室６ｂに行ったものの容易に寝付かれなかったのかもしれない。そうであれば、結局は居間６ａで何かをしていたのと同じで、睡眠時間が不足しているはずである。
〈懸念２〉被見守り者５は、夜間誰かの宅に宿泊したのかもしれない。そうであれば、その宅で行儀よく充分睡眠していればよいが、睡眠時間が不足した上に、その宅に迷惑をかけたかもしれない。
【００２７】
〈懸念３〉ある時刻における被見守り者５の活動量が明らかに異常である。この異常値は、何らかの外部要因を取り込んだ結果かもしれない。そうであれば、懸念するに及ばないが、そうでないならば、予想もしない病気の症状が発生しているかもしれない。
前記したような懸念を解消する、又は、解消しないまでも見守り者に過度の懸念を抱かせないようにするのが、本実施形態の見守り装置１の特徴である。
【００２８】
（状態情報）
図４は、センサ情報処理部２２がセンサ情報を処理し加工した情報を状態情報３２に格納する一例を示す模式図である。状態情報３２の垂直の二重線の左側は、センサからの情報３１０（図３）と同じである。但し、実際に格納されるデータは、被見守り者ＩＤ毎に状態が変化した時刻に対応した二重線の右側の欄のデータである。時刻欄１０１に記憶された時刻に関連付けて、状態（見直し後）欄１０６には状態（見直し後）が、摘要欄１０７には摘要が記載されている。状態（見直し後）欄１０６は、さらに、置き換え後欄１０６ａ、第１の見直し後欄１０６ｂ、第２の見直し後１０６ｃ及び最終結果欄１０６ｄから構成されている。この置き換え後欄１０６ａ、第１の見直し後欄１０６ｂ、第２の見直し後１０６ｃ及び最終結果欄１０６ｄが、時刻とともに見守り者の端末装置３に送信される情報である。
【００２９】
“状態（見直し後）”という語における“見直し後”は、“状態（初期値）”という語における“初期値”と対になっている。しかしながら、以降では表現の煩雑さを避けるために、誤解を招かない限り、“状態（見直し後）”という語における“（見直し後）”を省略する。なお、“見直す”とは、ある情報を削除して他の情報に置き換えること、又は、ある情報を他の情報に修正、補正することを意味する。見守り装置１は、置き換え（ユーザ向けの語への単純変換）、第１の見直し及び第２の見直し（不在の意味を反映した修正）を実行することによって、特に夜間の“不在”から“睡眠”として評価し得るものを抽出する。
【００３０】
（置き換え）
置き換え後欄１０６ａの状態は、“居間にいます（活動量＃）”又は“居間にいません”のいずれかである。見守り装置１のセンサ情報処理部２２は、以下の規則１及び２に従って、状態（初期値）欄１０３の状態（初期値）を置き換えている。“＃”は、異なる値を省略的に示している。
〈規則１〉状態（初期値）が“不在”である場合、センサ情報処理部２２は、それを“居間にいません”に置き換える。
【００３１】
〈規則２〉状態（初期値）が“在室”である場合、センサ情報処理部２２は、活動量を取得する。そして、センサ情報処理部２２は、取得した活動量を活動レベル情報３３（図６として後記）に適用して、対応する活動区分を取得する。ここで取得される活動区分は、“少”、“中”又は“多”のいずれかである。センサ情報処理部２２は、取得した活動区分に応じて、“居間にいます（活動量少）”、“居間にいます（活動量中）”又は “居間にいます（活動量多）”のいずれかを置き換え後の状態として分類する。つまり、図４の“居間にいます（活動量＃）”は、これら３種類の状態を省略的かつ代表的に示している。
【００３２】
（第１の見直し）
第１の見直し後欄１０６ｂの状態は、“睡眠”、“居間にいます（活動量＃）”又は“居間にいません”のいずれかである。なお、見直し後欄１０６ｂの空白は、“同左”を示す（詳細後記）。センサ情報処理部２２は、以下の規則１１及び１２に従って、置き換え後欄１０６ａの状態を見直している。
【００３３】
〈規則１１〉センサ情報処理部２２は、センサ２から送られてきた情報が“不在”であり、かつ、時刻が夜間運用時間帯（当日１８時００分から翌日４時００分まで）に含まれるか否かを判断する。判断の結果が“Ｙｅｓ”であれば、センサ情報処理部２２は、さらに以下の場合分けを行う。
【００３４】
センサ情報処理部２２は、夜間運用時間帯にセンサ２からの情報である“在室”が“不在”に変化した場合、その時刻を記憶する。この変化以降、“在室”ではなく“不在”が所定の回数（例えば、１２回１時間）連続して送信された場合、センサ情報処理部２２は、連続している“居間にいません”をすべて“睡眠”に見直す。つまり、センサ情報処理部２２は、夜間居間にいなかったという事実を健康にとって前向きな“睡眠”に一旦擬制する。
【００３５】
すなわち、夜間運用時間帯に“在室”が送信され、それ以降に“在室”ではなく“不在”に変化した場合、センサ情報処理部２２は、その時刻を記憶する。その後、“不在”が所定の回数（例えば、１２回１時間）連続して送信された場合（カウンタでカウントする）、センサ情報処理部２２は、その記憶した時刻に関連付けて“睡眠フラグ”を立てる。そして、センサ情報処理部２２は、睡眠フラグ以降の“居間にいません”をすべて“睡眠”と判断する。この場合、センサ情報処理部２２は、睡眠フラグを立てた時刻以降の“居間にいません”という情報自体を削除し、睡眠フラグを立てた時刻以降の“居間にいません”を“睡眠”に見直すとともに、端末装置３の表示を“居間にいません”から“睡眠”に書き換える。
それ以外の場合、センサ情報処理部２２は、“居間にいません”をそのまま第１の見直し後の状態として維持する。
【００３６】
なお、前記した例では、センサ情報処理部２２は、“不在”が所定回数続いたときに睡眠フラグを変化時刻に立てた。しかしながら、センサ情報処理部２２は、変化した時点で睡眠フラグ及びこの睡眠フラグを無効にするフラグを立て、“不在”が所定回数連続したときに睡眠フラグを無効にするフラグを消して睡眠フラグを有効にするようにしても構わない。
【００３７】
〈規則１２〉センサ情報処理部２２は、睡眠フラグが立っており、夜間運用時間帯を経過した時間帯である中間時間帯（４：００から１２：００まで）にセンサ２からの情報が“不在”から”在室”に変化した場合、“起床”と判断（１０８ｅ）し、その時刻を記録するとともに、端末装置３にその旨を送信する。当該規則は、状態“睡眠”の開始及び終了を明らかにするためのものである。
【００３８】
なお、図４の第１の見直し後欄１０６ｂにおいては、そのまま維持された“居間にいます（活動量＃）”の記載を省略している。これは、“居間にいます（活動量＃）”は、昼間又は夜間のいずれであるかにかかわらず、居間にいたという事実をその通りに解釈するためであり、センサ情報処理部２２は、“居間にいます（活動量＃）”については見直しを行わない。第１の見直し後欄１０６ｂにおける空白は“同左”を意味する（第２の見直し後欄１０６ｃについても同様）。
【００３９】
（第２の見直し）
第２の見直し後欄１０６ｃの状態は、“睡眠”、“居間にいます（活動量＃）”、“居間にいません”、“睡眠開始（就寝）”及び“睡眠終了（起床）”のうちのいずれかである（空白は、“同左”を示す）。センサ情報処理部２２は、以下の規則２１〜２４に従って、第１の見直し後欄１０６ｂの状態を見直している。
【００４０】
〈規則２１〉センサ情報処理部２２は、センサ２から送られてきた情報が“在室”であり、これに付随して送られてきた活動量が“♭♭”であった場合、“居間にいます（活動量＃）”ではなく“居間にいません”に見直す（１０８ｆ）。つまり、見守り者に対して不要な懸念を与えないように、その異常値は無視できることを明確にする。
【００４１】
〈規則２２〉睡眠フラグが立っている状態で、かつ、夜間運用時間帯に、センサ２から、“在室”が送られ、この“在室”が所定の回数（例えば、３回１５分）以上連続した場合、センサ情報処理部２２は、“居間にいます（活動量＃）”の前の“睡眠”を“居間にいません”に見直す（１０８ａ〜１０８ｃ）。センサ情報処理部２２は、睡眠フラグをそのまま残しておき、その睡眠フラグが無効であることを示すフラグを立てる。センサ情報処理部２２は、このとき端末装置３の表示も“睡眠”から“居間にいません”に書き換える。
【００４２】
なお、“在室”が所定の回数未満であった場合、センサ情報処理部２２は、無効フラグを立てずに“睡眠”を継続させる。センサ情報処理部２２は、短時間の“在室”であるのでまたすぐに寝るつもりであると判断して、“睡眠”状態を継続する。ただし、センサ情報処理部２２は、端末装置３には、“睡眠”とともに“居間にいます（活動量＃）”を表示する。また、センサ情報処理部２２は、後記するように、この短時間の“在室”も月間睡眠時間や週間睡眠時間に算入する。
【００４３】
その後、センサ情報処理部２２は、規則１１の判定を行い、再び“睡眠”と判定し、かつ、被見守り者が“第１睡眠”及び“第２睡眠”をしたと思われる場合、第２睡眠のみを睡眠として評価する。
なお、“睡眠”の群が３つ以上ある場合については、図５において後記する。
【００４４】
〈規則２３〉センサ情報処理部２２は、規則１１に従って、夜間運用時間帯に入った後に“睡眠”と判定され、その後“在室”が発生することがなかった結果、翌日の１２時００分までに起床したと判断されなかった場合、その間の“睡眠”を“居間にいません”に見直す（１０８ｇ〜１０８ｊ）。つまり、センサ情報処理部２２は、被見守り者が夜間外出したと思われる場合、それを“睡眠”として評価しない。
【００４５】
〈規則２４〉規則２１〜２３に従う処理の後、第１睡眠が睡眠として評価されなかった場合、センサ情報処理部２２は、第１の見直し後欄１０６ｂにおける連続する“睡眠”のうち、２回目の睡眠フラグが立った時刻の“睡眠”を“睡眠開始（就寝）”に見直す（１０８ｄ）。一方、規則２１〜２３に従う処理の後、第１睡眠が睡眠として評価された場合、センサ情報処理部２２は、第１の見直し後欄１０６ｂにおける連続する“睡眠”のうち、１回目の睡眠フラグが立った時刻の“睡眠”を“睡眠開始（就寝）”に見直す（図示せず）。
【００４６】
（最終結果）
センサ情報処理部２２は、置き換え、第１の見直し及び第２の見直しを実行した後、最終の状態を最終結果として欄１０６ｄに記憶する。摘要欄１０７は、専ら発明理解のために被見守り者の動作等を記載したものであり、見守り装置１が生成するデータではない。
【００４７】
（第２の見直しの補足説明）
図５は、第２の見直しをさらに説明する概念図である。図５の横軸は、時間（時刻）である。そのうち、当日１８時００分から翌日４時００分までが夜間運用時間帯である。網掛けの長方形は、その時刻の状態（初期値）が居間６ａにいた“在室”であることを示し、“在室帯”と呼ばれる。白抜きの長方形は、その時刻の状態（初期値）が居間６ａにいなかった“不在”であることを示し、“不在帯”と呼ばれる。在室帯の横幅は、図４において状態（初期値）である“在室”が、縦方向に連続して並ぶ個数を示している。不在帯の横幅は、図４において状態（初期値）である“不在”が、縦方向に連続して並ぶ個数を示している。
【００４８】
不在帯の中には“睡眠→睡眠”又は“睡眠→居間にいません”が記載されている。“→”の前は、第１の見直し後の状態であり、“→”の後は、第２の見直し後の状態である。なお、図示しないが、夜間運用時間帯以外の時間帯において不在帯が出現した場合、その不在帯は“居間にいません”を維持する（見直しの対象にならない）。以降、夜間における第２の見直しの例を５つの代表的なパタンにわけて説明する。
【００４９】
〈パタン１〉不在帯４１ａ、４１ｂ及び４１ｃが、在室帯４２ａ及び４２ｂを挟んでいる。実際にはセンサ情報処理部２２は、“在室”が１５分以上連続しなかったことを以って４１ａの“睡眠”を維持する。ここでは、説明を分かりやすくするため“挟む”と表現した（以下、同様）。そして、在室帯４２ａ及び４２ｂの横幅は、いずれも所定の閾値（例えば１５分）未満である。このとき、センサ情報処理部２２は、不在帯４１ａ、４１ｂ及び４１ｃについて“睡眠”を維持する。なお、不在帯４１ａの直ぐ左側、及び、不在帯４１ｃの直ぐ右側にも在室帯が存在する。これは、睡眠と判定する条件として必要となる在室帯を表している（以降のパタン２〜４においても同様）。
【００５０】
〈パタン２〉不在帯４３ａ、４３ｂ及び４３ｃが、在室帯４４ａ及び４４ｂを挟んでいる。そして、在室帯４４ａの横幅は所定の閾値以上であり、在室帯４４ｂの横幅は所定の閾値未満である。このとき、センサ情報処理部２２は、不在帯４３ｂ及び４３ｃについて“睡眠”を維持し、不在帯４３ａについて、“睡眠”を“居間にいません”に見直す。
【００５１】
〈パタン３〉不在帯４５ａ、４５ｂ及び４５ｃが、在室帯４６ａ及び４６ｂを挟んでいる。そして、在室帯４６ａの横幅は所定の閾値未満であり、在室帯４６ｂの横幅は所定の閾値以上である。このとき、センサ情報処理部２２は、不在帯４５ｃについて“睡眠”を維持し、不在帯４５ａ及び４５ｂについて、“睡眠”を“居間にいません”に見直す。
【００５２】
〈パタン４〉不在帯４７の左端は１８時００分の後にあり、右端は４時００分の後１２時００分の前にある。このとき、センサ情報処理部２２は、不在帯４７について“睡眠”を維持する。極端に長い不在帯の例をパタン４として示したが、１８時００分の後に始まりそのまま翌朝４時００分を超えた不在帯は、その中に“睡眠→睡眠”が記載される（不在帯４１ｃ、４３ｃ及び４５ｃも同様）。
【００５３】
〈パタン５〉不在帯４８の左端は１８時００分の後にあり、右端は１２時００分の後にある。このとき、センサ情報処理部２２は、不在帯４８について“睡眠”を“居間にいません”に見直す。なお、不在帯４８の直ぐ左側にも在室帯が存在する。これは、睡眠と思われる状態の開始を夜間運用時間帯における“在室”の直後から連続して１２回“不在”があった場合、“不在”に変化した時刻を睡眠の開始としたためである。一方不在帯４８の直ぐ右側には在室帯は存在しない。これは、現時点で在室が確認されていないことを意味する。
【００５４】
（活動レベル情報）
図６は、活動レベル情報３３の一例を示す図である。活動レベル３３においては、活動レベル欄１１１に記憶された活動レベルに関連付けて、活動区分欄１１２には活動区分が、状態欄１１３には状態が、活動量欄１１４には活動量が記憶されている。
活動レベル欄１１１の活動レベルは、活動量の水準を一意に特定する識別子である。因みに活動レベル“０”は、状態“不在”に対応する。その他の活動レベルは、２桁の数字であり、十の位の数字“１”、“２”及び“３”は、それぞれ、活動区分“少”、“中”及び“多”に対応している。一の位の数字“１”〜“８”は、それぞれの活動区分において活動量を小さい順にならべた順番を示す。
【００５５】
状態欄１１３の状態は、図３の状態と同じである。
活動量欄１１４の活動量は、図３の活動量と同じであるが、ここでは具体的な数値である。ユーザは、活動量の種類（移動距離、発熱量等）を任意に選択することができる。ここでの活動量の値は、“上から下に向かって活動量が徐々に大きくなる”ということを示すに過ぎない。“在室”が送られてきた時刻に対応付けて活動量が記憶される。
【００５６】
（現在状態表示処理手順）
図７は、現在状態表示処理手順のフローチャートである。説明の途中で、適宜図９及び図１０を参照する。
ステップＳ２０１において、見守り装置１のセンサ情報取得部２１は、現在のセンサ情報を取得する。具体的には、センサ情報取得部２１は、センサからの情報３１０（図３）の最新の状態を取得する。
【００５７】
ステップＳ２０２において、センサ情報取得部２１は、活動区分を取得する。具体的には、センサ情報取得部２１は、ステップＳ２０１において取得した状態及び活動量に基づき、活動レベル情報３３（図６）から対応する活動区分を取得する。ステップＳ２０１において取得した状態が“不在”である場合、センサ情報取得部２１は、“不在”が連続している期間（“不在時間”と呼ぶ）を計測するため、“不在”情報が受信されるたびにカウントアップする。
【００５８】
ステップＳ２０３において、見守り装置１のセンサ情報処理部２２は、見守り者の端末装置３に“現在の様子”画面５１（図９、符号５１ａ〜５１ｄ）を表示する。具体的には、第１に、センサ情報処理部２２は、状態、活動量、活動区分及び不在時間に基づき、“現在の様子”画面５１を生成する。ステップＳ２０１において取得した状態が“在室”である場合の例が、“現在の様子”画面５１ａ〜５１ｃである。“現在の様子”画面５１ａ〜５１ｃは、“在室”欄５２ａ〜５２ｃを有する。さらに、“現在の様子”画面５１ａ〜５１ｃは、居間を背景とし被見守り者の動作の様子を示すアイコン５５ａ〜５５ｃ及び活動量を示すグラフ５６ａ〜５６ｃを有していてもよい。
【００５９】
例えば、“現在の様子”画面５１ａは、被見守り者が居間に座っているアイコン５５ａによって、被見守り者の活動量が“少”であることを表している。同様に“現在の様子”画面５１ｂは、被見守り者が居間の床上に立っているアイコン５５ｂによって、被見守り者の活動量が“中”であることを表している。“現在の様子”画面５１ｃは、被見守り者が居間内を歩行しているアイコン５５ｃによって、被見守り者の活動量が“多”であることを表している。
【００６０】
ステップＳ２０１において取得した状態が“不在”である場合の例が、“現在の様子”画面５１ｄである。“現在の様子”画面５１ｄは、“不在”欄５２ｄ、及び、不在時間欄５４を有する。さらに、“現在の様子”画面５１ｄは、活動量（“０”）を示すグラフ５６ｄを有していてもよい。そして“現在の様子”画面５１ｄは、被見守り者を示すアイコンを表示しないことによって、被見守り者が居間にいないことを表している。
第２に、センサ情報処理部２２は、生成した“現在の様子”画面５１として表示させるためのデータを端末装置３に送信し、表示させる。
【００６１】
ステップＳ２０４において、センサ情報処理部２２は、活動量を集計する。具体的には、センサ情報処理部２２は、センサからの情報３１０（図３）を用いて、日次、週次及び月次の活動量を集計する。
ステップＳ２０５において、センサ情報処理部２２は、活動量画面６１（図１０）を表示する。具体的には、第１に、センサ情報処理部２２は、日次の活動量、週次の活動量及び月次の活動量を用いて、それぞれ日次の活動量画面６１ａ、週次の活動量画面６１ｂ及び月次の活動量画面６１ｃを生成する。活動量画面６１ａ〜６１ｃは、活動量を時系列で示した折れ線グラフ６２ａ〜６２ｃを有する。
第２に、センサ情報処理部２２は、見守り者の選択に応じて、生成した活動量画面６１ａ〜６１ｃとして表示させるためのデータを端末装置３に送信し、表示させる。
その後、現在状態表示処理手順を終了する。
【００６２】
（生活リズム・睡眠時間表示処理手順）
図８は、生活リズム・睡眠時間表示処理手順のフローチャートである。説明の途中で、適宜図１１及び図１２を参照する。
ステップＳ３０１において、見守り装置１のセンサ情報取得部２１は、センサ２から送信されたセンサ情報を取得する。センサ情報取得部２１は、取得した情報が前回の状態から変化した場合、その時刻を記憶する。センサ情報取得部２１は、“在室”に変化した場合はその時刻に関連付けて活動量を記憶する。センサ情報取得部２１は、“不在”に変化した場合、“不在”が送られてくるたびにカウントアップする。
【００６３】
ステップＳ３０２において、見守り装置１のセンサ情報処理部２２は、状態情報３２（図４）を作成する。具体的には、センサ情報処理部２２は、ステップＳ３０１において取得したセンサ情報に状態欄１０６（当初は空欄である）を追加し、時刻と対応付けた状態情報３２とする。
【００６４】
ステップＳ３０３において、センサ情報処理部２２は、センサ２からの情報が送信されてくるたびに置き換えを実行する。具体的には、センサ情報処理部２２は、前記したように規則１及び２に従って置き換えを実行する。この段階で状態情報３２の置き換え後欄１０６ａが埋まる。ここでは、センサ情報処理部２２は、“不在”を“居間にいません”に、“在室”を“居間にいます（活動量＃）”に、それぞれ置き換える。
【００６５】
ステップＳ３０４において、センサ情報処理部２２は、前記した所定の条件が揃ったときに、第１の見直しを実行する。具体的には、センサ情報処理部２２は、前記したように規則１１〜１３に従って第１の見直しを実行する。この段階で状態情報３２の第１の見直し後欄１０６ｂが（“同左”を意味する空白も含めて）埋まる。ここでは、センサ情報処理部２２は、睡眠フラグに注目し、“居間にいません”の一部を“睡眠”に見直す。
【００６６】
ステップＳ３０５において、センサ情報処理部２２は、第１の見直しと同様に所定の条件が揃ったときに、第２の見直しを実行する。具体的には、センサ情報処理部２２は、前記したように規則２１〜２４に従って第２の見直しを実行する。ここでは、センサ情報処理部２２は、無効化（詳細後記）された睡眠フラグに注目し、“睡眠”の一部を“睡眠”に再度見直す。この段階で状態情報３２の第２の見直し後欄１０６ｃが（“同左”を意味する空白も含めて）埋まる。
【００６７】
ステップＳ３０６において、センサ情報処理部２２は、最終結果を決定する。具体的には、センサ情報処理部２２は、前記したように最終結果を記憶する。この段階で状態情報３２の最終結果欄１０６ｄが埋まる。
【００６８】
ステップＳ３０７において、センサ情報処理部２２は、見守り者の端末装置３に生活リズム画面７１（図１１）を表示するためのデータを生成する。具体的には、センサ情報処理部２２は、ステップＳ３０６において記憶した最終結果に基づき、生活リズムデータを生成する。端末装置３の生活リズム画面７１は、最終結果の状態（“睡眠”、“居間にいます（活動量＃）”、“居間にいません”）ごとに直近の１日を色分けした時系列の帯グラフ７２を有している。センサ情報処理部２２は、過去の帯グラフを日次７３ａ、週次７３ｂ及び月次７３ｃで生成することもできる。
【００６９】
ステップＳ３０８において、センサ情報処理部２２は、端末装置３に睡眠時間画面８１（図１２）を表示するためのデータを生成する。具体的には、センサ情報処理部２２は、ステップＳ３０６において記憶した最終結果（“睡眠開始（就寝）”及び“睡眠終了（起床）”）に基づき、睡眠時間データを生成する。端末装置３の睡眠時間画面８１は、本日（前夜）の睡眠時間を示す欄８２、並びに、前日以前の数日間の睡眠時間及びその時間帯を示すグラフ８３を有している。なお、グラフ８３は、縦方向に長くスクロールして視認するべきものである。センサ情報処理部２２は、グラフ８３を日次、週次及び月次で生成することもできる。
【００７０】
なお、センサ情報処理部２２は、ステップＳ３０７及びＳ３０８のタイミングで生活リズム画面や睡眠時間画面を端末装置３に送信するのではなく、第１の見直しや第２の見直しを行ったタイミングで、端末装置３に表示されている画面を書き換えてもよい。つまり、センサ情報処理部２２が画面を作成するのではなく、見守り装置１から送られてきた情報に基づいて端末装置３側が画面を逐次生成してもよい。
【００７１】
その後、生活リズム・睡眠時間表示処理手順を終了する。
【００７２】
見守り者が例えばある日の１９時００分から翌日の１１時３０分までの間に、数回“現在の様子”画面を見た結果、その間被見守りの状態が継続して“睡眠”であったとする。しかしながら、翌日の１２時００分を過ぎた時刻に見守り者が生活リズム画面を見た結果、前日の１９時００分から現在までの間被見守りの状態が実は継続して“居間にいません”であったことが判明することがある。これは、図５のパタン５に相当する。見守り装置１のセンサ情報処理部２２は、“睡眠→居間にいません”の見直しを実行した時点で、端末装置３に以下のようなメッセージを送信したうえで表示させてもよい。メッセージの例は、“睡眠中であると報告していましたが、居間にいなかったことが判明しました”である。
【００７３】
次に、端末装置３について簡単に説明する。端末装置３には図９乃至図１２に示す図やグラフが表示されるが、見守り装置１からこれら図表が、例えば、５分毎に送信されると、受信に時間がかかる等の問題が発生する。本実施形態は、見守りサービスを受けるときに見守り装置１から送信されるデータに基づいて表示する複数のフォーマットをダウンロードすることで、データの受信のみで表示を可能としている。
見守り者が図示しない更新ボタンを押すことで、図やグラフが更新される。
【００７４】
（本実施形態の効果）
本実施形態の見守り装置の効果は以下の通りである。
（１）見守り装置は、被見守り者が夜間居間にいない期間のうち、真に睡眠していると思われる時間帯を抽出できる。
（２）見守り装置は、被見守り者の活動量をその水準ごとに区分して取得できる。
（３）見守り装置は、被見守り者が夜間第１睡眠及び第２睡眠をした場合の第１睡眠の期間を睡眠中と判断することを回避できる。
（４）見守り装置は、被見守り者が夜間外出していたと思われる期間を睡眠中と判断することを回避できる。
（５）見守り装置は、見守り者が被見守り者の睡眠時間又は活動量を日次、週次及び月次で視認することを可能にする。
（６）見守り装置は、見守り者の１日における動きの推移を視認することを可能にする。
（７）見守り装置は、“睡眠→居間にいません”の見直しを行ったことを見守り者に通知できる。
【００７５】
なお、本発明は前記した実施例に限定されるものではなく、様々な変形例が含まれる。例えば、前記した実施例は、本発明を分かり易く説明するために詳細に説明したものであり、必ずしも説明したすべての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００７６】
１      見守り装置
２      センサ
３      端末装置
４      ネットワーク
５      被見守り者
１１    中央制御装置
１２    入力装置
１３    出力装置
１４    主記憶装置
１５    補助記憶装置
１６    通信装置
２１    センサ情報取得部
２２    センサ情報処理部
３２    状態情報
３３    活動レベル情報
３０１  センサからの情報
【図１】
2020144671.tif 000003
【図２】
2020144671.tif 000004
【図３】
2020144671.tif 000005
【図４】
2020144671.tif 000006
【図５】
2020144671.tif 000007
【図６】
2020144671.tif 000008
【図７】
2020144671.tif 000009
【図８】
2020144671.tif 000010
【図９】
2020144671.tif 000011
【図１０】
2020144671.tif 000012
【図１１】
2020144671.tif 000013
【図１２】
2020144671.tif 000014